(57)【要約】【課題】電気掃除機用の吸口体で電動機により、回転清掃体を回転させ、塵埃を除去するものは、回転清掃体の両端に塵埃の取り残しがあるか、端部まで塵埃を除去可能だが、手入れ性が悪いかのどちらかであった。【解決手段】回転清掃体２０４の後方に固定刷毛Ａ４００を設けると共に、固定刷毛Ａ４００の両端から吸口体３０６の端部付近まで、固定刷毛Ｂ４０７を設け、固定刷毛Ａ４００と固定刷毛Ｂ４０７の隙間はその前方に回転清掃体２０４が位置するように配置した。【選択図】  図１
2011036445.tif 000002
【特許請求の範囲】
【請求項１】
底面に開口部を有する下ケースに上ケースを被着して形成された吸口体本体と、前記吸口体本体に回転可能に配置された回転清掃体と、前記下ケースの回転清掃体より後方の位置に配置された固定刷毛Ａとを備えた電気掃除機用吸口体において、
前記固定刷毛Ａの左右方向外側に別の固定刷毛Ｂが備えられ、
前記固定刷毛Ａと前記固定刷毛Ｂの境の前方には、前記回転清掃体が配置されていることを特徴とした電気掃除機用吸口体。
【請求項２】
前記固定刷毛Ｂの毛は、前記吸口本体の前方側へ向かって傾いていることを特徴とする請求項１記載の電気掃除機用吸口体。
【請求項３】
前記固定刷毛Ｂは、前記吸口体本体の前方側において被清掃面との隙間が大きく、前記吸口本体の後方側において被清掃面との隙間が狭くなるように、円弧状に形成されていることを特徴とする請求項１または２に記載の電気掃除機用吸口体。
【請求項４】
前記固定刷毛Ｂの前方に前記下ケースの開口部へと続く流路が形成されることを特徴とする請求項１，２，３のいずれかに記載の電気掃除機用吸口体。
【請求項５】
請求項１，２，３，４のいずれかに記載の電気掃除機用吸口体と、電動送風機を内蔵する電気掃除機本体と、前記電気掃除機用吸口体と前記電気掃除機本体とを接続する接続部を備えた電気掃除機。
【請求項６】
電気掃除機本体に連通する電気掃除機用吸口体において、
前記電気掃除機本体に連通する開口部と、
前記開口部に配置された回転清掃体と、
前記回転清掃体の側方に配置された第１の刷毛部材と、
前記回転清掃体および前記第１の刷毛部材の後方または前方に、前記回転清掃体と前記第１の刷毛部材との間の隙間にオーバーラップして配置された第２の刷毛部材とを備えたことを特徴とする電気掃除機用吸口体。
【請求項７】
前記第１の刷毛部材と前記第２の刷毛部材との間に形成され、前記開口部に連通する流路を備え、
前記第２の刷毛部材の毛の根元から先端へ向かう刷毛方向は、前記流路の形成位置に向かって傾斜していることを特徴とする請求項６に記載の電気掃除機用吸口体。
【請求項８】
前記第１の刷毛部材の毛の根元から先端へ向かう刷毛方向は、前記第２の刷毛部材の刷毛方向とは反対方向であることを特徴とする請求項７に記載の電気掃除機用吸口体。
【請求項９】
前記第２の刷毛部材の前部は、前記第２の刷毛部材の後部よりも被清掃面から遠いことを特徴とする請求項６，７，８のいずれかに記載の電気掃除機用吸口体。
【請求項１０】
前記第２の刷毛部材の被清掃面に対向する面は、前記第１の刷毛部材の被清掃面に対向する面よりも被清掃面から遠いことを特徴とする請求項６，７，８，９のいずれかに記載の電気掃除機用吸口体。
【請求項１１】
前記回転清掃体の軸方向端部をカバーする略Ｌ字形状の部材を備え、
前記第１の刷毛部材および前記第２の刷毛部材は、前記略Ｌ字形状の部材上に形成されることを特徴とする請求項６，７，８，９，１０のいずれかに記載の電気掃除機用吸口体。
【請求項１２】
請求項６，７，８，９，１０，１１のいずれかに記載の電気掃除機用吸口体と、前記電気掃除機用吸口体に接続される延長管と、前記延長管に接続される操作管と、前記操作管に接続されるホース体と、前記ホース体に接続され集塵室と電動送風機を備えた掃除機本体とを備え、前記吸口体から吸い込まれた空気が、前記延長管，前記操作管，前記ホース体を介して前記掃除機本体に吸い込まれる電気掃除機。
【請求項１３】
電気掃除機本体に連通する電気掃除機用吸口体において、
前記電気掃除機本体に連通する開口部と、
前記開口部に配置された回転清掃体と、
前記回転清掃体の側方に配置された第１の刷毛部材と、
前記回転清掃体および前記第１の刷毛部材の後方または前方に、前記回転清掃体に対応する位置から前記第１の刷毛部材に対応する位置にわたって配置された第２の刷毛部材とを備えたことを特徴とする電気掃除機用吸口体。
【請求項１４】
請求項１３に記載の電気掃除機用吸口体と、前記電気掃除機用吸口体に接続される延長管と、前記延長管に接続される操作管と、前記操作管に接続されるホース体と、前記ホース体に接続され集塵室と電動送風機を備えた掃除機本体とを備え、前記吸口体から吸い込まれた空気が、前記延長管，前記操作管，前記ホース体を介して前記掃除機本体に吸い込まれる電気掃除機。
【請求項１５】
電気掃除機本体に連通する電気掃除機用吸口体において、
前記電気掃除機本体に連通する開口部と、
前記開口部に配置された回転清掃体と、
前記回転清掃体の後方または前方で、かつ当該電気掃除機用吸口体の左右方向の端部に配置された刷毛部材とを備え、
前記刷毛部材の左右方向の内側が、前記回転清掃体の左右方向の外側にオーバーラップしていることを特徴とする電気掃除機用吸口体。
【請求項１６】
請求項１５に記載の電気掃除機用吸口体と、前記電気掃除機用吸口体に接続される延長管と、前記延長管に接続される操作管と、前記操作管に接続されるホース体と、前記ホース体に接続され集塵室と電動送風機を備えた掃除機本体とを備え、前記吸口体から吸い込まれた空気が、前記延長管，前記操作管，前記ホース体を介して前記掃除機本体に吸い込まれる電気掃除機。
【請求項１７】
電気掃除機本体に連通する電気掃除機用吸口体において、
前記電気掃除機本体に連通する開口部と、
前記開口部に配置された回転清掃体と、
前記回転清掃体の後方または前方で、かつ当該電気掃除機用吸口体の左右方向の端部に配置された刷毛部材とを備え、
前記刷毛部材の内側端部が、前記回転清掃体の端部よりも内側に位置することを特徴とする電気掃除機用吸口体。
【請求項１８】
請求項１７に記載の電気掃除機用吸口体と、前記電気掃除機用吸口体に接続される延長管と、前記延長管に接続される操作管と、前記操作管に接続されるホース体と、前記ホース体に接続され集塵室と電動送風機を備えた掃除機本体とを備え、前記吸口体から吸い込まれた空気が、前記延長管，前記操作管，前記ホース体を介して前記掃除機本体に吸い込まれる電気掃除機。
【発明の詳細な説明】
【技術分野】
【０００１】
本発明は電気掃除機の吸口体及び、電気掃除機に係り、特に回転清掃体（回転ブラシ）以外に吸口体の底面に固定刷毛部材を備えた電気掃除機用吸口体及び、電気掃除機に関するものである。
【背景技術】
【０００２】
電気掃除機の吸口体の回転清掃体は、掃除機の吸気風を利用し、回転清掃体自身が回転力を発生するもの、又は、電動機等の回転力を回転清掃体へ伝えるものの二種類がある。
【０００３】
回転清掃体はその両側に配置された、軸受部により回動可能に軸支されている。また、電動機等の駆動力を回転清掃体へ伝えるものは、軸受部に加え、ベルトや、プーリを回転清掃体の端部に備えたものがある。
【０００４】
また、電動機で回転駆動させるものにおいて、回転清掃体内に電動機を配置し、ベルトやプーリを排除したものがある（特許文献１，２ご参照）。
【０００５】
また、回転清掃体の後方に固定刷毛を設け、回転清掃体の側方の略Ｉ字形状の軸受押さえ部材および略Ｌ字形状のユニット押さえ部材にも固定刷毛を設けた吸口体がある（特許文献３ご参照）。
【先行技術文献】
【特許文献】
【０００６】
【特許文献１】特許第３３３４７０３号公報
【特許文献２】特開昭６３−１５８０３０号公報
【特許文献３】特開２００８−３８３号公報
【発明の概要】
【発明が解決しようとする課題】
【０００７】
特許文献１，２に記載の吸込具において、回転清掃体の端部には軸受部が配置されるため、吸口体端部まで、清掃面の塵埃を掻き出すことが困難であった。特に電動機等で駆動するものにおいては、ベルトや、プーリ等を配置するスペースが吸口端部に必要となるため、吸口端部では床面の塵埃を除去できなかった。また、回転清掃体内に電動機を配置しているものにおいては、ベルトや、プーリ等の配置スペースが要らない分、端部まで塵埃を除去することが可能であるが、電気部品が回転清掃体の内部に配置されているため、回転清掃体の水洗いが困難であった。更に、電力を回転清掃体内へ流す必要があるため、構造が複雑になり、回転清掃体の取外しが困難であり、回転清掃体に絡みついた髪の毛や、糸屑を除去するときの手入れが難しく、衛生上問題があった。
【０００８】
特許文献３に記載の吸口体では、回転清掃体と軸受押さえ部材およびユニット押さえ部材に設けられた固定刷毛との間にすき間が存在するため、回転清掃体と軸受押さえ部材およびユニット押さえ部材に設けられた固定刷毛との間では床面の塵埃を捕集することができず、吸口体の全幅にわたって床面の塵埃を捕集することができなかった。
【０００９】
本発明の目的は、電動機等の動力源により回転する回転清掃体を備えた吸口体において、手入れ性を犠牲にすることなく、端部まで塵埃を取れるようにした電気掃除機用吸口体およびその電気掃除機用吸口体を備えた電気掃除機を提供することにある。
【００１０】
また、本発明の目的は、吸口体の全幅にわたって被清掃面の塵埃を捕集することができる電気掃除機用吸口体およびその電気掃除機用吸口体を備えた電気掃除機を提供することにある。
【課題を解決するための手段】
【００１１】
本発明は、底面に開口部を有する下ケースに上ケースを被着して形成された吸口体本体と、吸口体本体に、回転可能に配置された回転清掃体を備え、下ケースの回転清掃体より後方の位置に、固定刷毛Ａを備え、固定刷毛Ａの左右方向外側に別の固定刷毛Ｂを配置し、固定刷毛Ａと固定刷毛Ｂの境の前方には、回転清掃体が位置することを特徴とする。
【００１２】
好ましくは、本発明は、固定刷毛Ｂの先端が、吸口本体前方側に傾いていることを特徴とする。
【００１３】
好ましくは、本発明は、固定刷毛Ｂは吸口体本体前方側において、被清掃面との隙間が大きく、吸口本体後方側において、被清掃面との隙間が狭くなるように円弧状に形成されていることを特徴とする。
【００１４】
好ましくは、本発明は、固定刷毛Ｂの前方に下ケースの底面開口部へと続く流路があることを特徴とする。
【００１５】
または、本発明は、回転清掃体および第１の刷毛部材（例えば、刷毛部材Ａ）の後方または前方に、回転清掃体と第１の刷毛部材との間の隙間にオーバーラップして配置された第２の刷毛部材（例えば、固定刷毛Ｂ）を備えたことを特徴とする。
【００１６】
または、本発明は、回転清掃体および第１の刷毛部材（例えば、刷毛部材Ａ）の後方または前方に、回転清掃体に対応する位置から第１の刷毛部材に対応する位置にわたって配置された第２の刷毛部材（例えば、固定刷毛Ｂ）を備えたことを特徴とする。
【００１７】
または、本発明は、回転清掃体の後方または前方で、かつ当該電気掃除機用吸口体の左右方向の端部に配置された刷毛部材（例えば、固定刷毛Ｂ）を備え、刷毛部材の左右方向の内側が、回転清掃体の左右方向の外側にオーバーラップしていることを特徴とする。
【００１８】
または、本発明は、回転清掃体の後方または前方で、かつ当該電気掃除機用吸口体の左右方向の端部に配置された刷毛部材（例えば、固定刷毛Ｂ）を備え、刷毛部材の内側端部が、回転清掃体の端部よりも内側に位置することを特徴とする。
【発明の効果】
【００１９】
本発明によれば、電気掃除機用吸口体の下ケースの回転清掃体より後方の位置に、固定刷毛Ａを備え、固定刷毛Ａの左右方向外側に別の固定刷毛Ｂを配置し、また、固定刷毛Ｂと、固定刷毛Ａの境目には、その前方に回転清掃体が位置しているため、吸口の左右方向にて、回転清掃体の範囲では、回転清掃体により塵埃が掻き揚げられ、除去される。また、吸口体の回転清掃体よりも端部においては、固定刷毛Ｂにより、塵埃が除去される。これにより、吸口体の端部まで塵埃の除去が可能となる。
【００２０】
又、本発明によれば、上記電気掃除機用吸口体の固定刷毛Ｂの刷毛を前方に傾けることにより、綿ごみを掻き取る力を増すことができる。
【００２１】
又、本発明によれば、上記電気掃除機用吸口体の固定刷毛Ｂを吸口体本体前方側において、被清掃面との隙間が大きく、吸口本体後方側において、被清掃面との隙間が狭くなるように円弧状に配置することにより、固定刷毛Ｂが端部から剥がれることを防止すると共に、固定刷毛の面積を大きく取ることが可能となり、一往復で取ることができる塵埃の量を増すことが可能となる。
【００２２】
又、本発明によれば、上記電気掃除機用吸口体の固定刷毛Ｂの前方に下ケースの底面開口部へと続く流路を設けることにより、固定刷毛にて取り除いた塵埃を流路を通し開口部へと移動する。これにより、刷毛に塵埃が溜まることを防ぎ、刷毛の塵埃除去力の低下を防ぐことが可能となる。
【００２３】
又、本発明によれば、上記のような電気掃除機用吸口体を電気掃除機に供えることにより、吸口体一往復で、清掃できる被清掃面の幅が広がることから、清掃時間の短縮に繋がると共に、省エネ性を向上させることが可能となる。
【００２４】
または、本発明によれば、回転清掃体および第１の刷毛部材（例えば、刷毛部材Ａ）の後方または前方に、回転清掃体と第１の刷毛部材との間の隙間にオーバーラップして配置された第２の刷毛部材（例えば、固定刷毛Ｂ）を備えたことにより、または、回転清掃体および第１の刷毛部材（例えば、刷毛部材Ａ）の後方または前方に、回転清掃体に対応する位置から第１の刷毛部材に対応する位置にわたって配置された第２の刷毛部材（例えば、固定刷毛Ｂ）を備えたことにより、第２の刷毛部材が回転清掃体と第１の刷毛部材との間を通りぬける塵埃を捕集することができ、吸口体の全幅にわたって被清掃面の塵埃を捕集することができる。
【００２５】
または、本発明によれば、回転清掃体の後方または前方で、かつ当該電気掃除機用吸口体の左右方向の端部に配置された刷毛部材（例えば、固定刷毛Ｂ）を備え、刷毛部材の左右方向の内側が、回転清掃体の左右方向の外側にオーバーラップしていることにより、または、回転清掃体の後方または前方で、かつ当該電気掃除機用吸口体の左右方向の端部に配置された刷毛部材（例えば、固定刷毛Ｂ）を備え、刷毛部材の内側端部が、回転清掃体の端部よりも内側に位置することにより、回転清掃体および刷毛部材によって吸口体の全幅にわたって被清掃面の塵埃を捕集することができる。
【図面の簡単な説明】
【００２６】
【図１】本実施例による吸口体の平面図。
【図２】本実施例による吸口体の分解斜視図。
【図３】本実施例による電気掃除機の外観図。
【図４】図１による軸受押さえ部材のＡ−Ａ断面。
【図５】（ａ）は本実施例による回転清掃体及び、動力伝達機構の分解斜視図、（ｂ）は本実施例による動力伝達機構の拡大図、（ｃ）は本実施例による図５（ａ）のＰ拡大図。
【図６】本実施例による回転清掃体の取外し方・取付け方。
【発明を実施するための形態】
【００２７】
以下、本発明の実施の形態の一例を添付の図面に基づいて説明する。
【００２８】
図２に本実施例による吸口体３０６の分解斜視図を示す。図２において、２０１は下ケース、２００は下ケースの上方に配置された上ケース、２１２は上ケース２００及び下ケース２０１で構成された回転清掃体収納室（収納手段）、２０４は回転清掃体収納室２１２に配置された回転清掃体（回転ブラシ）、２０５は回転清掃体２０４を駆動するための電動機（駆動手段）、２０７は吸口体３０６を持ち上げたときに自動的に回転清掃体２０４の回転を停止するための安全スイッチ（安全装置）、２０８は電動機側プーリ（伝達手段）、２０９は減速プーリを構成する大プーリ（伝達手段）、２１０は減速プーリを構成する小プーリ（伝達手段）、２１１は大プーリ２０９と小プーリ２１０を連結するシャフト（伝達手段）である。回転清掃体収納室２１２の略中央に、開口２１８が形成される。上ケース２００及び下ケース２０１及び回転清掃体収納室２１２によって、略Ｔ字形状の吸口本体を構成する。回転清掃体２０４は、１本であってもよいし、２本以上の複数であってもよい。２本以上の回転清掃体２０４は、互いに略平行に配置されるのが好ましい。これらの部品により、電動機２０５によって発生された駆動力を大プーリ２０９と小プーリ２１０とそれらを連結するシャフト２１１を介して回転清掃体２０４の回転軸端部に伝達する伝達機構を構成している。
【００２９】
２０２は吸口本体内部と外部（掃除機本体）とを連通する空気通路が形成された自在継手のうち吸口本体に対して上下方向に回動可能な第１の接続管、２０３は自在継手のうち第１の接続管に対して左右方向に回動可能な第２の接続管である。つまり、第１の接続管２０２の前端が上下方向に回動可能に吸口本体に接続され、第１の接続管２０２の後端が左右方向に回動可能に第２の接続管２０３の前端に接続される。第２の接続管２０３の後部は筒形状（パイプ形状）を有し、第２の接続管２０３の後部が、延長管３０５の前端の内周または延長管３０５の前端に接続された他の吸口体（略Ｉ字形状を有する第２の吸口体）の前端の内周またはハンドルグリップ３０３の前端の内周に挿入されて係合されることによって、延長管３０５または他の吸口体またはハンドルグリップ３０３に接続可能である。吸口体３０６は、主に吸口本体と自在継手（第１の接続管２０２および第２の接続管２０３）から構成される。吸口本体は略Ｔ字形状を有し、自在継手は略Ｉ字形状を有し、その結果、吸口体３０６は略Ｔ字形状を有する。第１の接続管２０２や第２の接続管２０３は必須の構成ではなく、吸口本体が直接に延長管３０５または他の吸口体またはハンドルグリップ３０３に接続可能であってもよい。
【００３０】
ここで、吸口体３０６本体を水平な床面（被清掃面）上に置いた状態で、開口２１８が形成された側を下面側と呼び、回転清掃体２０４の回転軸に沿う方向（軸方向）を吸口体３０６の左右方向と呼び、この左右方向は通常吸口体３０６の左右方向と一致し、回転清掃体２０４の軸方向とも一致する。また、吸口体３０６の上下方向に関しては、被清掃面へ対向する側を下面側（底面側）。反対側を上面側と呼ぶ。また、吸口体３０６の進行方向側を前方側、後退方向側を後方側として説明する。延長管３０５と接続される側、つまり自在継手（第１の接続管２０２および第２の接続管２０３）が形成される側が後方側であり、その反対側が前方側である。使用者は、延長管３０５に接続されたハンドルグリップ３０３を手で持って、押すことによって吸口体３０６を進行させ、引くことによって吸口体３０６を後退させる。
【００３１】
図３に本実施例による電気掃除機の外観図を示す。３０１は後部に吸口体３０６が集塵するのに必要な吸気風を発生させる電動送風機（図示せず）を内蔵し、前部には塵埃を集塵する集塵室（図示せず）を内蔵した電気掃除機本体、３０２は電気掃除機本体３０１に接続され、柔軟に可動（可撓）するように形成されたホース体、３０３はホース体３０２に接続されて電気掃除機本体３０１や吸口体３０６を制御する手元スイッチ３０４を内蔵し、ホース体３０２と延長管３０５と連通する流路（図示せず）を持つハンドルグリップ（操作管）である。ハンドルグリップ３０３は、流路を持つ管状（筒状）部分とハンドル部分とから構成される。また、ホース体３０２とハンドルグリップ３０３及び延長管３０５には、吸口体３０６に電気を供給する給電線（図示せず）が内蔵されている。そして、吸口体３０６の後端が延長管３０５の前端に接続され、延長管３０５の後端がハンドルグリップ３０３の前端に接続され、ハンドルグリップ３０３の後端がホース体３０２の前端に接続され、ホース体３０２の後端が電気掃除機本体３０１に接続される。吸口体３０６の後端と延長管３０５の前端との間に他の吸口体が介在して接続されてもよい。他の吸口体と延長管３０５とハンドルグリップ３０３とホース体３０２とが、吸口体３０６と電気掃除機本体３０１とを接続する接続部を成す。
【００３２】
図１に本実施例による吸口体３０６本体を下から見たときの平面図を示す。４０１は回転清掃体２０４が露出するのを防止すると共に吸口体３０６が家具などの障害物にぶつかった際に障害物が損傷するのを防止するバンパー、４００は固定刷毛Ａ（刷毛部材）、４０４は吸口体３０６の走行を補助する後方車輪である。
【００３３】
吸口体３０６の下面の左右両端には、回転清掃体２０４の両端部の軸受を押さえ、カバーするための軸受押さえ部材４０８が配置されている。軸受押さえ部材４０８は略Ｌ字形状を有し、吸口体３０６の側面から後面に沿った位置に取付けられる。軸受押さえ部材４０８の回転清掃体２０４の側方に対向する部分は、当然に、回転清掃体２０４の外側に位置し、軸受押さえ部材４０８の回転清掃体２０４の後方に対向する部分は、前方または後方から見て、回転清掃体収納室２１２（回転清掃体２０４）にオーバーラップしている。つまり、軸受押さえ部材４０８の回転清掃体２０４の後方に対向する部分の端部は、回転清掃体収納室２１２（回転清掃体２０４）の端部よりも内側に位置する。また、軸受押さえ部材４０８には、刷毛部材Ａ４０５，刷毛部材Ｂ４０６が配置されており、床面への傷つきを防止している。
【００３４】
固定刷毛Ａ４００は、回転清掃体収納室２１２（回転清掃体２０４）の後方に、回転清掃体収納室２１２（回転清掃体２０４）に隣接して、回転清掃体収納室２１２（回転清掃体２０４）に略平行に配置される。固定刷毛Ａ４００の形成方向は、回転清掃体２０４の軸方向である。固定刷毛Ａ４００は、軸受押さえ部材４０８上には形成されず、下ケース２０１に形成されているため、固定刷毛Ａ４００の長さは、回転清掃体２０４の軸方向の長さよりも短い。ただし、固定刷毛Ａ４００の長さは、回転清掃体２０４の軸方向の長さに近いほうが好ましい。固定刷毛Ａ４００の毛はブラシ状で、その毛の長さは被清掃面に当接する程度であり、その毛の根元から先端へ向かう刷毛方向は吸口体３０６の下面（または被清掃面）に対して略垂直であるのが好ましい。固定刷毛Ａ４００は、回転清掃体２０４に掻き取られた塵埃が吸口体３０６の後方へ飛び出すのを抑制する機構を有する。つまり、回転清掃体２０４の被清掃面に対向する側では、前方から後方へ向かって回転する。よって、回転清掃体２０４に掻き取られた塵埃が開口２１８に吸い込まれず、回転清掃体２０４から後方へ飛散することがある。そこで、回転清掃体２０４の後方に固定刷毛Ａ４００を配置することによって、塵埃が吸口体３０６の後方へ飛び出すのを抑制する。そして、使用者が吸口体３０６を後退させたときに、固定刷毛Ａ４００に付着した塵埃の全部または一部が、固定刷毛Ａ４００から離れ、回転清掃体２０４へ向かい、回転清掃体２０４に掻き取られて開口２１８に吸い込まれる。また、固定刷毛Ａ４００は、被清掃面との間で、回転清掃体収納室２１２の後方を塞ぐことにより、回転清掃体収納室２１２の静圧を高める機能を有する。
【００３５】
刷毛部材Ａ４０５は、軸受押さえ部材４０８上で、回転清掃体収納室２１２（回転清掃体２０４）の側方に対応する位置に配置される。刷毛部材Ｂ４０６は、軸受押さえ部材４０８上で、刷毛部材Ａ４０５の後方に配置される。刷毛部材Ａ４０５は、吸口体３０６の前部の左右両端の角が被清掃面に接触して、吸口体３０６の前進後退に伴って被清掃面が損傷するのを防止する機能を有する。刷毛部材Ｂ４０６は、吸口体３０６の後部の左右両端の角が被清掃面に接触して、吸口体３０６の前進後退に伴って被清掃面が損傷するのを防止する機能を有する。１つの部材で構成するのではなく、刷毛部材Ａ４０５と刷毛部材Ｂ４０６とに分かれているのは、刷毛部材Ａ４０５と刷毛部材Ｂ４０６との間に溝４１０が形成されているためである。よって、溝４１０がなければ、刷毛部材Ａ４０５と刷毛部材Ｂ４０６とは一体に形成されてもよい。また、刷毛部材Ａ４０５および刷毛部材Ｂ４０６は、回転清掃体２０４よりも外側に位置することにより、回転清掃体２０４で捕集できなかった回転清掃体２０４の外側の塵埃を捕集することもできる。刷毛部材Ａ４０５および刷毛部材Ｂ４０６の毛の長さは被清掃面に当接する程度であり、その毛の根元から先端へ向かう刷毛方向は、吸口体３０６の後方へ向かって傾斜するのが好ましい。つまり、刷毛部材Ａ４０５および刷毛部材Ｂ４０６の毛の刷毛方向は、吸口体３０６の進行方向に対して順目であるのが好ましい。これによって、刷毛部材Ａ４０５および刷毛部材Ｂ４０６が、吸口体３０６の進行に対して抵抗になるのを抑制することができる。吸口体３０６は使用者の前方に位置するため、吸口体３０６を後退させる引く力よりも、吸口体３０６を進行させる押す力を必要とする。そこで、吸口体３０６の後退に対する抵抗よりも進行に対する抵抗を小さくすることによって、吸口体３０６の操作感を向上できる。さらに、刷毛部材Ａ４０５の下面を塵埃が通りやすくなり、塵埃が刷毛部材Ａ４０５の後方の溝４１０に導かれ易くなる。そして、回転清掃体２０４は下ケース２０１に形成され、刷毛部材Ａ４０５および刷毛部材Ｂ４０６は軸受押さえ部材４０８に形成されるため、回転清掃体２０４と刷毛部材Ａ４０５および刷毛部材Ｂ４０６との間に隙間ができる。よって、吸口体３０６を前後に動かしたときに、回転清掃体２０４と刷毛部材Ａ４０５および刷毛部材Ｂ４０６との間に、塵埃を捕集できない部分ができる。
【００３６】
そこで、本発明では、固定刷毛Ａ４００の両端に、固定刷毛Ｂ４０７（刷毛部材）を、吸口体３０６の幅とほぼ同等の位置まで配置し、回転清掃体２０４と、固定刷毛Ａ４００，固定刷毛Ｂ４０７の境目を前後方向で重なる位置関係とした。つまり、固定刷毛Ｂ４０７は、固定刷毛Ａ４００の側方に対応する位置に配置した。よって、固定刷毛Ｂ４０７は、回転清掃体収納室２１２（回転清掃体２０４）の後方に位置する。ただし、固定刷毛Ｂ４０７は、回転清掃体収納室２１２（回転清掃体２０４）の前方であってもよい。つまり、固定刷毛Ｂ４０７は、回転清掃体収納室２１２（回転清掃体２０４）の後方または前方にずれて配置されていればよい。また、固定刷毛Ｂ４０７の形成方向は、回転清掃体収納室２１２（回転清掃体２０４）と略平行であってもよいし、回転清掃体２０４の軸方向に対して傾斜していてもよい。固定刷毛Ｂ４０７の左右方向の長さは、刷毛部材Ａ４０５の左右方向の長さよりも長いのが好ましい。固定刷毛Ｂ４０７の外側端部の位置は、刷毛部材Ａ４０５の外側端部の位置に対応し、固定刷毛Ｂ４０７の内側端部の位置は、刷毛部材Ａ４０５の内側端部の位置よりも内側（吸口体３０６の左右中央側であり、開口２１８が形成される側）であるのが好ましい。ただし、固定刷毛Ｂ４０７の内側端部の位置が、回転清掃体収納室２１２（回転清掃体２０４）の端部、特に回転清掃体２０４の清掃部材１０７の端部の位置よりも内側であればよい。つまり、前後方向から見て、固定刷毛Ｂ４０７の一部（内側部分）が回転清掃体収納室２１２（回転清掃体２０４）の一部（外側部分）、特に回転清掃体２０４の清掃部材１０７の一部（外側部分）に重なっている（オーバーラップ）。よって、前後方向から見て、回転清掃体２０４と刷毛部材Ａ４０５および刷毛部材Ｂ４０６との間に隙間が、固定刷毛Ｂ４０７に重なっているため（オーバーラップ）、吸口体３０６を前後に動かしたときに、回転清掃体２０４と刷毛部材Ａ４０５および刷毛部材Ｂ４０６との間の塵埃を捕集できる。よって、吸口体３０６の左右方向の全幅にわたって、塵埃を捕集することができる。この結果、前後方向から見て、固定刷毛Ａ４００と固定刷毛Ｂ４０７との間の隙間（軸受押さえ部材４０８と下ケース２０１との分離部分）が、回転清掃体収納室２１２（回転清掃体２０４）、特に回転清掃体２０４の清掃部材１０７に重なることとなる（オーバーラップ）。刷毛部材Ａ４０５および刷毛部材Ｂ４０６がなくても、固定刷毛Ｂ４０７の外側端部の位置が、回転清掃体収納室２１２（回転清掃体２０４）の端部、特に回転清掃体２０４の清掃部材１０７の端部の位置よりも外側であり、また、固定刷毛Ｂ４０７の外側端部が吸口体３０６の左右方向の端部にまで形成されていれば、吸口体３０６の左右方向の全幅にわたって、塵埃を捕集することができるため、刷毛部材Ａ４０５および刷毛部材Ｂ４０６は必須の構成ではない。固定刷毛Ｂ４０７は、軸受押さえ部材４０８上で、刷毛部材Ａ４０５と刷毛部材Ｂ４０６との間に配置される。さらに、固定刷毛Ｂ４０７は、溝４１０と刷毛部材Ｂ４０６との間、つまり溝４１０の後方に配置される。固定刷毛Ｂ４０７の毛の根元から先端へ向かう刷毛方向は、溝４１０が形成される側へ向かって、つまり刷毛部材Ａ４０５が形成される側へ向かって、つまり吸口体３０６の前方へ向かって、傾斜するのが好ましい。よって、固定刷毛Ｂ４０７の毛の刷毛方向は、吸口体３０６が後退したときに順目となる。これによって、吸口体３０６が前進した際に固定刷毛Ｂ４０７によって捕集された塵埃が、吸口体３０６が後退した際に固定刷毛Ｂ４０７から剥がれ落ちやすくなる。そして、吸口体３０６の後退に伴って、固定刷毛Ｂ４０７から剥がれ落ちた塵埃が、溝４１０に導かれ、開口２１８に吸い込まれる。なお、固定刷毛Ｂ４０７の毛の刷毛方向は、刷毛部材Ａ４０５および刷毛部材Ｂ４０６の毛の刷毛方向とは反対方向となる。
【００３７】
溝４１０は、刷毛部材Ａ４０５の後方で、軸受押さえ部材４０８に対して形成される。溝４１０の内側端は回転清掃体収納室２１２の側壁面に開口し、回転清掃体収納室２１２つまり開口２１８に連通する。よって、溝４１０は、開口２１８に吸い込まれる空気が流れ、通風路（流路）を形成する。溝４１０の外側端は、吸口体３０６の側壁面つまり外部に開口している。ただし、溝４１０の外側端は、閉塞していてもよい。２２０は下ケース２０１の下面側に位置する軸受押さえ部材４０８を開閉するための係止部材であり、上ケース２００と下ケース２０１から張り出した支持部を回動軸とし、組み付けにより上下方向で支持し、係止部材２２０の抜け外れを規制している。
【００３８】
図４に、図１による軸受押さえ部材４０８のＡ−Ａ断面を示す。図４（ａ）は固定刷毛Ｂ４０７を被清掃面と平行に配置したものであり、図４（ｂ）は固定刷毛Ｂ４０７の前部にＲを取るように貼り付けたものである。固定刷毛Ｂ４０７の前部にＲを取った結果、固定刷毛Ｂ４０７の前部の表面（被清掃面に対向する面）の位置は、固定刷毛Ｂ４０７の後部の表面（被清掃面に対向する面）の位置よりも被清掃面から遠くなる。つまり、軸受押さえ部材４０８を基準にすると、固定刷毛Ｂ４０７の前部は、固定刷毛Ｂ４０７の後部よりも低くした。なお、固定刷毛Ｂ４０７は塵埃を掻き出すことができるよう、固定刷毛Ａ４０５よりも硬い刷毛を用い、更に刷毛の先端を吸口体３０６前方方向へ斜めに傾いている。また、操作力を考慮し、被清掃面が木床等の硬い被清掃面では被清掃面へ接せず、絨毯等の柔らかい被清掃面では吸口体が被清掃面へ沈み込み、被清掃面へ接するようになっている。つまり、図４（ａ），（ｂ）に示すように、固定刷毛Ｂ４０７の表面の位置は、刷毛部材Ａ４０５および刷毛部材Ｂ４０６の表面（被清掃面に対向する面）の位置よりも被清掃面から遠くした。つまり、軸受押さえ部材４０８を基準にすると、固定刷毛Ｂ４０７の高さ（毛の長さ）、刷毛部材Ａ４０５および刷毛部材Ｂ４０６の高さ（毛の長さ）よりも低くした（短くした）。なお、刷毛部材Ｂ４０６の表面の位置は、刷毛部材Ａ４０５の表面の位置よりも被清掃面から遠くした。
【００３９】
ここで、固定刷毛Ｂ４０７は軸受押さえ部材４０８に図４（ｂ）のように前方に行くに従い、被清掃面からの距離が離れるように貼り付けることで、固定刷毛４０７の前部が剥がれ落ちるのを防止し、または図４（ａ）に示す固定刷毛４０７の前部の剥がれ防止のリブ４０９が不要と成り、固定刷毛Ｂ４０７の面積を大きく取ることが可能となる。
【００４０】
一方、図４（ｃ）のように、固定刷毛Ａ４００と固定刷毛Ｂ４０７と同程度に、固定刷毛Ｂ４０７を柔らかい刷毛（例えば、ブラシ）とし、木床等の硬い被清掃面にも接するようにしても良い。また、固定刷毛Ｂ４０７の前方には、吸口下面の開口２１８へと続く溝４１０が形成されている。
【００４１】
図５（ａ）に本実施例による回転清掃体２０４及び、動力伝達機構１０１を示す。図５（ｂ）に本実施例による動力伝達機構１０１の拡大図を示す。また、図５（ｃ）にＰ拡大図を示す。
【００４２】
回転清掃体２０４の清掃部材１０７は、繊維等による刷毛１０５の他、軟質のブレード１０４を用いて構成することができ、刷毛１０５やブレード１０４をそれぞれ単独で、或いは刷毛１０５とブレード１０４とを混在させて構成することができる。また、筒状基体１０６を形成する部材で一体に成形した突出部で清掃部材１０７を構成してもよい。いずれにしても、清掃部材１０７は筒状基体１０６の外周面から外方に突出するように構成される。噛合い部Ａ１１０は、下ケース２０１内部に設けられた動力伝達機構１０１に配置された噛合い部Ｂ１１１と凹凸にて結合し、回転清掃体２０４へ回動力を伝える役割を果たす。清掃部材１０７が被清掃面に接触して、清掃部材１０７が塵埃を掻き取る。
【００４３】
次に本実施例における動作の流れについて説明する。掃除機使用者がハンドルグリップ３０３に設置された手元スイッチ３０４を操作すると、操作されたスイッチに従った作動モード（例えば、「強」，「中」，「弱」，「おまかせ」）で電気掃除機本体３０１内の電動送風機が運転を開始する。電動送風機によって発生した吸引力は、ホース体３０２，延長管３０５を通って吸口体３０６に到達する。それと同時に、ホース体３０２および延長管３０５に設けられた電源線から供給された電源が、回路基板（図示せず）を介して電動機２０５を駆動する。電動機２０５と大プーリ２０９，シャフト２１１，小プーリ２１０，動力伝達機構１０１，ベルト４１１で連結している回転清掃体２０４が回転することにより、回転清掃体２０４の清掃部材１０７である刷毛１０５やブレード１０４によって被掃除面からごみや塵埃を掻き上げて吸い込んでいる。
【００４４】
固定刷毛Ｂ４０７を、図４（ａ），（ｂ），（ｃ）のようにした際の塵埃の除去に付いて説明する。
【００４５】
図４（ａ），（ｂ）で、被清掃面が木床等のように硬い場合は固定刷毛Ｂ４０７は被清掃面へ接することはないが、被清掃面上の塵埃は、被清掃面に絡みつくことがないため、吸口体３０６内の静圧のみで容易に吸込むことがでる。そのため、吸口体３０６の左右端部においては溝４１０から塵埃を吸込むことができる。これにより、吸口体３０６は左右端部まで塵埃を除去可能となる。
【００４６】
一方、図４（ａ），（ｂ）で、被清掃面が絨毯のように柔らかく凹凸がある時は、塵埃が絨毯の毛と絡み合い、吸口体３０６内部の静圧のみで除去することは難しい。そのため、回転清掃体２０４により主に塵埃を除去する。回転清掃体２０４が届かない吸口体３０６の左右端部においては、吸口を前方へ押す際に、固定刷毛４０７が前方へ傾いているため効率よく、塵埃を掻き取ることが可能である。そして、吸口体３０６を後方へ戻すときに固定刷毛４０７についた塵埃は被清掃面との摩擦により、固定刷毛４０７より外れる。固定刷毛４０７から外れた塵埃は前方に配置された溝４１０を通り、吸口下部の開口２１８より吸込まれる。これにより、絨毯上に塵埃を吸口体３０６の左右端部まで除去することが可能となる。
【００４７】
一方、図４（ｃ）のように、固定刷毛Ｂ４０７を柔らかい刷毛とした際は、吸口体３０６の後方からの空気の吸入が少なくなり、吸口体３０６の内部の静圧が増すため、溝４１０を介して、吸口体３０６の左右の幅いっぱいまで塵埃を取ることが可能となる。そのため、特に木床等の硬い被清掃面での塵埃の除去能力の向上が図れる。
【００４８】
図６に本実施例による回転清掃体２０４の取外し方・取付け方を示す。吸口体の下面側を上面側に向ける。係止部材２２０の指架け部２２０Ａに操作者の指を添え、吸口体中央側から外側に回動し、軸受押さえ部材４０８と係止部２２０の係合を解除する（ステップ１）。そして、下ケース２０１から軸受押さえ部材４０８を外す（ステップ２）。次に、回転清掃体２０４を、上方に引き上げることにより、回転清掃体２０４の噛合い部Ａ１１０と動力伝達機構１０１の噛合い部Ｂ１１１が外れ、吸口体３０６から離脱できる（ステップ３）。これにより、回転清掃体２０４の清掃部材１０７に糸くず等が付着した際も容易に回転清掃体２０４を取外し、簡単に糸くずなどの繊維状のものや、髪の毛等を取り除くことが可能となる。
【００４９】
回転清掃体を取付けるときは、取外し時と逆の動作となる。回転清掃体２０４は噛合い部Ａ１１０と噛合い部Ｂ１１１を異なる色相としている。回転清掃体２０４の噛合い部Ａ１１０，動力伝達機構１０１の噛合い部Ｂ１１１の色相を揃えるようにし、吸口体３０６へ回転清掃体２０４を挿入する。これにより、使用者はその向きを間違えることなく、吸口体３０６へ回転清掃体２０４をはめることができる。次に軸受押さえ部材４０８をはめ、係止部材２２０をロックさせ係合させる。以上の操作により、簡単に手入れが可能となる。
【００５０】
本発明の各実施例は床移動型の掃除機だけでなく、アップライト式やスティック式の掃除機にも適用できる。電動機駆動方式（回転清掃体２０４が電動機２０５によって回転する方式）の吸口体だけでなく、エアー駆動方式（回転清掃体２０４が吸い込み空気によって回転する方式）にも適用できる。
【００５１】
また、固定刷毛Ｂを設ける代わりに、刷毛部材Ｂを固定刷毛Ｂと同程度の長さになるまで内側（中央側）へ長くしてもよい。
【符号の説明】
【００５２】
１０１  動力伝達機構
１０４  ブレード
１０５  刷毛
１０６  筒状基体
１０７  清掃部材
１１０  噛合い部Ａ
１１１  噛合い部Ｂ
２００  上ケース
２０１  下ケース
２０２  第１の接続管
２０３  第２の接続管
２０４  回転清掃体
２０５  電動機
２０７  安全スイッチ
２０８  電動機側プーリ
２０９  大プーリ
２１０  小プーリ
２１１  シャフト
２１２  回転清掃体収納室
２１８  開口
２２０  係止部材
２２０Ａ  係止部材の指架け部
３０１  電気掃除機本体
３０２  ホース体
３０３  ハンドルグリップ
３０４  手元スイッチ
３０５  延長管
３０６  吸口体
４００  固定刷毛Ａ
４０１  バンパー
４０４  後方車輪
４０５  刷毛部材Ａ
４０６  刷毛部材Ｂ
４０７  固定刷毛Ｂ
４０８  軸受押さえ部材
４０９  リブ
４１０  溝
４１１  ベルト
【図１】
2011036445.tif 000003
【図２】
2011036445.tif 000004
【図３】
2011036445.tif 000005
【図４】
2011036445.tif 000006
【図５】
2011036445.tif 000007
【図６】
2011036445.tif 000008